【手続補正書】
【提出日】平成24年10月2日(2012.10.2)
【手続補正１】
【補正対象書類名】特許請求の範囲
【補正対象項目名】全文
【補正方法】変更
【補正の内容】
【特許請求の範囲】
【請求項１】
半殻体に形成され、内部に発電要素が収容された電池ケースと、該電池ケースの開口部を封口する封口板とを重ねて下型の載置面上に載置し、該封口板の外周壁を上型により押圧して変形させることで、内部に発電要素が密封された扁平形電池を形成する扁平形電池用手動式カシメ機であって、
操作者によって回転される操作部と連結され、該操作部と連動して回転する入力軸と、
前記上型と固定されるとともに、前記入力軸の回転と連動して、一定軌道を所定のストロークで往復運動するスライド部材と、
前記入力軸と歯車機構部を介して連結され、入力軸の回転と連動して回転する出力軸と、
前記出力軸に軸着され、出力軸とともに回転するクランク部材と、
前記クランク部材とスライド部材とを連結するリンク機構部とを備え、
前記入力軸の回転により、クランク部材が回転して、前記クランク部材に連結されたリンク機構部を介して、前記スライド部材に固定された上型が、下型に対して離接する方向に移動されるように構成され、
前記歯車機構部は、前記入力軸に軸着された第１の歯車と、該第１の歯車と噛合し、前記出力軸に軸着された第２の歯車と、を有するとともに、
前記第１の歯車の歯数よりも前記第２の歯車の歯数の方が多くなるように構成されていることを特徴とする扁平形電池用手動式カシメ機。
【請求項２】
前記リンク機構部が、
前記クランク部材に、一端が回動自在に連結された接続リンクと、
前記接続リンクの他端に、一端が回動自在に連結されるとともに、他端がカシメ機本体に回動自在に連結された第１のリンクと、
前記接続リンクの他端に、一端が回動自在に連結されるとともに、他端がスライド部材に回動自在に連結された第２のリンクとを備えることを特徴とする請求項１に記載の扁平形電池用手動式カシメ機。
【請求項３】
前記歯車機構部における減速比が整数値であることを特徴とする請求項１または２に記載の扁平形電池用手動式カシメ機。
【請求項４】
前記上型の本体部が金属製の部材からなり、該本体部には、前記封口板の外周壁と当接する当接部が周状に形成されるとともに、
前記該封口板の外周壁を上型により押圧して変形させる際に、前記上型と前記電池ケースとが接触しないように、前記上型に逃げ部が形成されていることを特徴とする請求項１から３のいずれかに記載の扁平形電池用手動式カシメ機。
【請求項５】
前記上型の本体部が金属製の部材からなり、該本体部には、前記封口板の外周壁と当接する当接部が周状に形成されるとともに、
前記当接部に囲まれた部分から、弾性部材と接続された絶縁部材が突設していることを特徴とする請求項１から４のいずれかに記載の扁平形電池用手動式カシメ機。
【請求項６】
前記下型の載置面が、下型の表面に形成された凹部であり、該凹部には、前記封口板の平面形状と略同一形状の位置決め溝部が形成されていることを特徴とする請求項１から５のいずれかに記載の扁平形電池用手動式カシメ機。
【請求項７】
前記位置決め溝部には貫通孔が形成されて、該貫通孔には押し上げピンが進退自在に装着されており、
前記押し上げピンが、操作者によって操作される操作手段と連絡し、操作者が該操作手段を操作することによって上下動するように構成されていることを特徴とする請求項６に記載の扁平形電池用手動式カシメ機。
【手続補正２】
【補正対象書類名】明細書
【補正対象項目名】０００６
【補正方法】変更
【補正の内容】
【０００６】
図５に示したように、従来の扁平形電池用手動式カシメ機１００は、基台１０２と、この基台１０２の両端部と固定された側壁１０８、１０８とを備えている。また、後述する内部構造部１５０を備えており、この内部構造部１５０には、操作部１８０が連結されている。さらに、内部構造部１５０を覆うように配置された、頂板１９２及び不図示の背面板からなるカバー部材１９０などを備えている。
【手続補正３】
【補正対象書類名】明細書
【補正対象項目名】０００７
【補正方法】変更
【補正の内容】
【０００７】
操作部１８０は、図５〜図６に示したように、棒状の把持部１８２と、一端がこの把持部１８２の端部と連結し、他端が後述する水平軸１４０と回動可能に連結されたレバー部材１８４と、から構成されている。
また、このレバー部材１８４は、図７Ａ及び図７Ｂに示したように、弧状をなした弧状部１８４ａと、弧状部１８４ａに対して略直角方向に円弧外側に延伸する屈曲部１８４ｂとから構成されている。そして、レバー部材１８４と水平軸１４０とが、この屈曲部１８４ｂの先端側において連結されている。
【手続補正４】
【補正対象書類名】明細書
【補正対象項目名】０００８
【補正方法】変更
【補正の内容】
【０００８】
内部構造部１５０は、図６Ａ及び図６Ｂに示したように、基台１０２と一体化された縦壁１０４と、縦壁１０４の正面側に形成され、後述するスライド部材１３０の往復運動を垂直方向に案内するガイド１０６とを備えている。
また、カシメ対象である扁平形電池２００が載置される下型１１０と、扁平形電池２００を押圧してカシメる上型１２０と、上型１２０と固定されたスライド部材１３０と、両端が側壁１０８と連結された水平軸１４０とを備えている。
そして、一端がスライド部材１３０と回動自在に連結され、他端がレバー部材１８４の屈曲部１８４ｂの基端側と回動自在に連結されたリンク部材１６４と、一端が縦壁１０４と回動自在に連結され、他端がスライド部材１３０と回動自在に連結された接続リンク１６６とを備えている。
さらに、接続リンク１６６と当接することでレバー部材１８４の下方向への移動を制止するストッパー１２５とを備えている。
【手続補正５】
【補正対象書類名】明細書
【補正対象項目名】００１０
【補正方法】変更
【補正の内容】
【００１０】
扁平形電池２００は、図８Ａに示したように、半殻体に形成された電池ケース２０２の開口部に、同じく半殻体に形成された封口板２０４を、電池ケース２０２の開口部を覆うようにして重ねた状態で、封口板２０４を下側にして、下型１１０の凹部１１２の表面に載置される。なお、電池ケース２０２及び封口板２０４の材料は、共に金属性である。また、電池ケース２０２と封口板２０４との間には、パッキン２０６が介装されており、これにより、電池ケース２０２内に収容されている不図示の発電要素が密封されている。
【手続補正６】
【補正対象書類名】明細書
【補正対象項目名】００１３
【補正方法】変更
【補正の内容】
【００１３】
そして、操作者が把持部１８２を把持して、図７Ａの矢印で示した方向に、レバー部材１８４を徐々に下方に押し下げると、水平軸１４０を中心としてレバー部材１８４が下方に向かって回動し、これに伴いリンク部材１６４も回動して、リンク部材１６４が、図７Ａに示した傾斜した状態から、図７Ｂに示した垂直に近い状態へと徐々に変化する。
これによって、リンク部材１６４と連結されるスライド部材１３０及びスライド部材１３０に固定された上型１２０も徐々に下降する。また、リンク部材１６４と回動自在に連結された接続リンク１６６も、図７Ａに示した傾斜した状態から、図７Ｂに示した水平の状態へと徐々に傾動する。
【手続補正７】
【補正対象書類名】明細書
【補正対象項目名】００１５
【補正方法】変更
【補正の内容】
【００１５】
このように、レバー部材１８４をストッパーの頭部１２５ａと当接するまで押し下げることで、図８Ｂに示したように、上型１２０の湾曲状の当接部１２２と封口板２０４の外周壁２０４ａとが当接し、外周壁２０４ａが押圧されて内側にカシメられることで、内部に発電要素が密封された扁平形電池２００が形成される。
【手続補正８】
【補正対象書類名】明細書
【補正対象項目名】００２８
【補正方法】変更
【補正の内容】
【００２８】
本発明は、前述したような従来技術における課題及び目的を達成するために発明されたものであって、本発明の扁平形電池用手動式カシメ機は、
半殻体に形成され、内部に発電要素が収容された電池ケースと、該電池ケースの開口部を封口する封口板とを重ねて下型の載置面上に載置し、該封口板の外周壁を上型により押圧して変形させることで、内部に発電要素が密封された扁平形電池を形成する扁平形電池用手動式カシメ機であって、
操作者によって回転される操作部と連結され、該操作部と連動して回転する入力軸と、
前記上型と固定されるとともに、前記入力軸の回転と連動して、一定軌道を所定のストロークで往復運動するスライド部材と、
前記入力軸と歯車機構部を介して連結され、入力軸の回転と連動して回転する出力軸と、
前記出力軸に軸着され、出力軸とともに回転するクランク部材と、
前記クランク部材とスライド部材とを連結するリンク機構部とを備え、
前記入力軸の回転により、クランク部材が回転して、前記クランク部材に連結されたリンク機構部を介して、前記スライド部材に固定された上型が、下型に対して離接する方向に移動されるように構成され、
前記歯車機構部は、前記入力軸に軸着された第１の歯車と、該第１の歯車と噛合し、前記出力軸に軸着された第２の歯車と、を有するとともに、
前記第１の歯車の歯数よりも前記第２の歯車の歯数の方が多くなるように構成されていることを特徴とする。
【手続補正９】
【補正対象書類名】明細書
【補正対象項目名】００３３
【補正方法】変更
【補正の内容】
【００３３】
本発明の扁平形電池用手動式カシメ機は、
前記リンク機構部が、
前記クランク部材に、一端が回動自在に連結された接続リンクと、
前記接続リンクの他端に、一端が回動自在に連結されるとともに、他端がカシメ機本体に回動自在に連結された第１のリンクと、
前記接続リンクの他端に、一端が回動自在に連結されるとともに、他端がスライド部材に回動自在に連結された第２のリンクとを備えることを特徴とする。
【手続補正１０】
【補正対象書類名】明細書
【補正対象項目名】００５１
【補正方法】変更
【補正の内容】
【００５１】
図１Ａに示したように、本発明の扁平形電池用手動式カシメ機１は、基台２と、この基台２の両端部と固定されて垂立する側壁８、８とを備えている。また、操作部８０と、カバー部材９０とを備えている。
そして、図２に示したように、リンク機構部を備えており、このリンク機構部は、操作部８０と、入力軸４０と、出力軸４２と、スライド部材３０と、クランクホイール５０と、第１のリンク６２と第２のリンク６４と接続リンク６６とから構成されている。
さらに、図１Ｂに示したように、歯車機構部７０を備えており、この歯車機構部７０は、第１の平歯車７２及び第２の平歯車７４とから構成される歯車機構部７０などから構成されている。また、カバー部材９０は、図１に示したように、頂板９２及び背面板９６から構成されている。
【手続補正１１】
【補正対象書類名】明細書
【補正対象項目名】００６０
【補正方法】変更
【補正の内容】
【００６０】
接続リンク６６は、上述したように、一端がクランクホイール５０の外面における偏心部と回動自在に連結されるとともに、図２〜図３に示したように、その他端は、第１のリンク６２及び第２のリンク６４と回動自在に連結されている。
【手続補正１２】
【補正対象書類名】明細書
【補正対象項目名】００６３
【補正方法】変更
【補正の内容】
【００６３】
また、図３Ｂに示したように、クランクホイール５０と接続リンク６６との連結位置（Ｘ）が手前側にある場合は、接続リンク６６と第１のリンク６２と第２のリンク６４との連結位置（Ｙ）も手前側となる。したがって、第１のリンク６２及び第２のリンク６４は、図３Ｂに示したように垂立した状態となり、第２のリンク６４と連結されたスライド部材３０は下方に位置することとなる。
【手続補正１３】
【補正対象書類名】明細書
【補正対象項目名】００６５
【補正方法】変更
【補正の内容】
【００６５】
また、第１のリンク６２、第２のリンク６４及び接続リンク６６の各部材の長さ、及びその連結位置は、クランクホイール５０が３６０度回転できるとともに、図４Ｂに示したように、上型２０の当接部２２と、封口板２０４の外周壁２０４ａとが当接した状態において、図３Ｂに示したように、第１のリンク６２と第２のリンク６４とのなす角度αが概ね１８０度になるように構成されている。
なお、本実施形態において、第１のリンク６２と、第２のリンク６４と、接続リンク６６とは、ピンにより連結しているが、軸付きのベアリングなどによって連結しても良い。
【手続補正１４】
【補正対象書類名】明細書
【補正対象項目名】００６６
【補正方法】変更
【補正の内容】
【００６６】
スライド部材３０は、上述したように、第２のリンク６４の一端と回動自在に連結されるとともに、図１Ｂ、図３に示したように、背面側にガイド挟持部３２が固定されている。このガイド挟持部３２は、縦壁４の正面側に縦状の突起として形成されているガイド６を摺動自在に挟持することで、スライド部材３０が一定軌道で上下方向に往復するのを案内するように構成されている。
【手続補正１５】
【補正対象書類名】明細書
【補正対象項目名】００６７
【補正方法】変更
【補正の内容】
【００６７】
また、スライド部材３０の下側には、上型２０が固定されており、この上型２０の真下には下型１０が配置されている。この下型１０の表面の中央部分には、図２Ａに示したように、凹部１２が形成されており、カシメ対象である扁平形電池２００は、この凹部１２の表面に載置される。
【手続補正１６】
【補正対象書類名】明細書
【補正対象項目名】００８７
【補正方法】変更
【補正の内容】
【００８７】
そして、図３Ａの矢印Ａで示したように、操作者が回転レバー８２を回転させると、これと連動して入力軸４０が回転し、入力軸４０に軸着されている第１の平歯車７２、及びこれと噛合する第２の平歯車７４が回転するとともに、図３Ａの矢印Ｂで示したように、出力軸４２を介して第２の平歯車７４と連結するクランクホイール５０が回転する。
これにより、クランクホイール５０の偏心部と回動自在に連結されている接続リンク６６、及びこれと回動自在に連結されている第１のリンク６２、第２のリンク６４とからなるリンク機構部により、スライド部材３０が下降する。
【手続補正１７】
【補正対象書類名】明細書
【補正対象項目名】００８９
【補正方法】変更
【補正の内容】
【００８９】
なお、当接部２２と、外周壁２０４ａとが当接した状態においては、図３Ｂに示した第１のリンク６２と第２のリンク６４とのなす角度αは、概ね１８０度であり、操作者が回転レバー８２を回転させる力を、効率よくスライド部材３０に伝達できるように構成されている。
また、上型２０はスライド部材３０と、下型１０は基台１０と、例えば、ボルトなどによって着脱自在に固定されている。このため、種々の外径と高さを有する扁平形電池２００に対して、本発明の扁平形電池用手動式カシメ機１を利用する際は、扁平形電池２００の高さに対応した種々の上型２０と下型１０を用意すればよい。
そして、カシメ対象である扁平形電池２００に応じて適宜上型２０と下型１０を交換することで、どのような外径と高さの扁平形電池２００をカシメる場合であっても、第１のリンク６２と第２のリンク６４とのなす角度αを概ね１８０度とすることができる。
【手続補正１８】
【補正対象書類名】明細書
【補正対象項目名】００９０
【補正方法】変更
【補正の内容】
【００９０】
また、封口板２０４の外周壁２０４aの内側への変形量（カシメ量）は、扁平形電池用手動式カシメ機１の下死点近辺における、上型２０と下型１０との離間距離（図４Ｂに示したＬ）によって決まる。
このため、カシメ量を微調整するには、例えば、適宜の厚みを有する薄い板（シム板）を下型１０と基台２の間に挟んで、上型２０と下型１０との離間距離を調整すれば良い。
また、本実施形態の上型２０と下型１０は、上述したように、ボルトなどによって各々着脱自在に固定されているが、本発明の上型２０と下型１０はこれに限定されず、例えば、ダイセット金型とすることも可能である。
【手続補正１９】
【補正対象書類名】明細書
【補正対象項目名】００９１
【補正方法】変更
【補正の内容】
【００９１】
そして、図３Ｂの矢印で示したように、操作者が回転レバー８２をさらに手前に（始動時に回した方向に）１回転させると、図２Ａ及び図３Ａに示した状態へと戻る。この状態において、操作者が、上述した操作手段１８を操作して、扁平形電池２００を取り出すことで、扁平形電池２００のカシメ作業が完了する。
【手続補正２０】
【補正対象書類名】図面
【補正対象項目名】図１Ｂ
【補正方法】変更
【補正の内容】
【図１Ｂ】
2011104644.tif 000001
【手続補正２１】
【補正対象書類名】図面
【補正対象項目名】図３Ａ
【補正方法】変更
【補正の内容】
【図３Ａ】
2011104644.tif 000002
【手続補正２２】
【補正対象書類名】図面
【補正対象項目名】図３Ｂ
【補正方法】変更
【補正の内容】
【図３Ｂ】
2011104644.tif 000003
【手続補正２３】
【補正対象書類名】図面
【補正対象項目名】図７Ａ
【補正方法】変更
【補正の内容】
【図７Ａ】
2011104644.tif 000004
【手続補正２４】
【補正対象書類名】図面
【補正対象項目名】図７Ｂ
【補正方法】変更
【補正の内容】
【図７Ｂ】
2011104644.tif 000005